(57)【要約】【課題】測定時干渉されることがなく、高精度の電池テスタ用のワイヤレスハンドルを提供する。【解決手段】ワイヤレスハンドルが無線通信によって電池テスタと情報交換のできるワイヤレス信号送受信手段と、情報入力手段と、情報出力手段と、信号処理及び制御手段とから構成される。ワイヤレス信号送受信手段と情報入力手段と情報出力手段が信号処理及び制御手段に連結される。ワイヤレスハンドルは無線通信により電池テスタと情報交換をすることができ、独立した電力供給手段を有する。情報入力手段と情報出力手段はテストリードのテストリードと共通の電子回路を共有するものではなく、測定回路を流れる電流の周波数とは全く異なる周波数を有する信号を用いる。これにより、干渉されることがない高精度の測定を行うことができる。【選択図】図９
2014055943.tif 000002
【特許請求の範囲】
【請求項１】
無線通信によって電池テスタと情報交換のできるワイヤレス信号送受信手段と、
情報入力手段と、
情報出力手段と、
信号処理及び制御手段とからなり、
ワイヤレス信号送受信手段と情報入力手段と情報出力手段が信号処理及び制御手段に連結されているワイヤレスハンドル。
【請求項２】
ワイヤレス信号送受信手段がラジオ周波数信号を送受信することを特徴とする前記請求項１に記載のワイヤレスハンドル。
【請求項３】
ワイヤレス信号送受信手段には、ブルートース（Ｂｌｕｅｔｏｏｔｈ）、ワイファイ（Ｗｉ−Ｆｉ）、ジグビー（ＺＩＧＢＥＥ）、近距離無線通信（Ｎｅａｒ  Ｆｉｅｌｄ  Ｃｏｍｍｕｎｉｃａｔｉｏｎ）の無線通信技術のうちの少なくとも一つが適用されることを特徴とする前記請求項２に記載のワイヤレスハンドル。
【請求項４】
ラジオ周波数信号は２．４ＧＨｚの周波数を有することを特徴とする前記請求項２又は３に記載のワイヤレスハンドル。
【請求項５】
ワイヤレスハンドルが近位端から先端に向かって徐々に先細になる流線形状を有しているか、又は、実質的に長方形又は円形の断面を有する棒状の形状を有していることを特徴とする前記請求項１に記載のワイヤレスハンドル。
【請求項６】
ワイヤレスハンドルが、更に、該ワイヤレスハンドルに電池テスタのテストリードを着脱自在に取り付けるための取り付け手段を先端に有することを特徴とする前記請求項１に記載のワイヤレスハンドル。 
【請求項７】
取り付け手段が側面に開口を有するねじ穴として構成されるか、又は、側面に開口を有するねじフランジとして構成されることを特徴とする前記請求項６に記載のワイヤレスハンドル。
【請求項８】
取り付け手段が電池テスタのテストリードをクランプするためのクリップとして構成されることを特徴とする前記請求項６に記載のワイヤレスハンドル。
【請求項９】
ワイヤレスハンドルは、更に、テストリードから延びるワイヤを着脱自在に収納する少なくとも一つのワイヤ収納手段を有することを特徴とする前記請求項６から８のうちのいずれか一つに記載のワイヤレスハンドル。
【請求項１０】
少なくとも一つのワイヤ収納手段がワイヤレスハンドルの周面に沿って延在する溝として構成されるか、又は、ワイヤレスハンドルの外側に配された複数のワイヤクリップとして構成されることを特徴とする前記請求項９に記載のワイヤレスハンドル。
【請求項１１】
情報出力手段がディスプレイを有することを特徴とする前記請求項１に記載のワイヤレスハンドル。
【請求項１２】
ディスプレイはワイヤレスハンドルの近位端に配置されることを特徴とする前記請求項１１に記載のワイヤレスハンドル。
【請求項１３】
ディスプレイとワイヤレスハンドルの長手方向の軸の間に角度があることを特徴とする前記請求項１２に記載のワイヤレスハンドル。
【請求項１４】
ディスプレイとワイヤレスハンドルの長手方向の軸の間の角度は、３０度と６０度の間であることを特徴とする前記請求項１３に記載のワイヤレスハンドル。
【請求項１５】
ディスプレイはＬＣＤディスプレイ、ＬＥＤディスプレイ、ＯＬＥＤディスプレイ、プラズマディスプレイ又はＥ−ｉｎｋディスプレイであることを特徴とする前記請求項１１から１４のうちのいずれか一つに記載のワイヤレスハンドル。
【請求項１６】
情報出力手段がスピーカを有することを特徴とする前記請求項１から１５のうちのいずれか一つに記載のワイヤレスハンドル。
【請求項１７】
情報出力手段が少なくとも一つのインジケータを有することを特徴とする前記請求項１から１５のうちのいずれか一つに記載のワイヤレスハンドル。
【請求項１８】
前記少なくとも一つのインジケータがワイヤレスハンドルの近位端又はその周辺に配設されることを特徴とする前記請求項１７に記載のワイヤレスハンドル。
【請求項１９】
少なくとも一つのインジケータは被測定電池の少なくとも一つの状態を示すことができることを特徴とする前記請求項１７に記載のワイヤレスハンドル。
【請求項２０】
情報入力手段が少なくとも一つの入力キーを有することを特徴とする前記請求項１から１９のうちのいずれか一つに記載のワイヤレスハンドル。
【請求項２１】
ワイヤレスハンドルの近位端の周囲に、ワイヤレスハンドルの利用者がワイヤレスハンドルを握った状態でその指で少なくとも一つの入力キーを操作できるように、前記少なくとも一つの入力キーが存在することを特徴とする前記請求項２０に記載のワイヤレスハンドル。
【請求項２２】
ワイヤレスハンドルが、更に、被測定電池の温度を測定するための非接触温度センサを有することを特徴とする前記請求項１から２１のうちのいずれか一つに記載のワイヤレスハンドル。
【請求項２３】
非接触温度センサがワイヤレスハンドルの先端又はその周辺に配置されていることを特徴とする前記請求項２２に記載のワイヤレスハンドル。
【請求項２４】
ワイヤレスハンドルは、更に、電力供給手段を有することを特徴とする前記請求項１から２３のうちのいずれか一つに記載のワイヤレスハンドル。
【請求項２５】
電力供給手段はワイヤレスハンドルに内蔵された電池であることを特徴とする前記請求項２４に記載のワイヤレスハンドル。
【請求項２６】
ワイヤレスハンドルは、更に、ワイヤレスハンドルの先端又はその周辺に配置されたライトを有し、更に、電力供給手段がそのライトに電力を供給することを特徴とする前記請求項２４又は２５に記載のワイヤレスハンドル。
【請求項２７】
本体と該本体と連結可能な少なくとも一対のテストリードを含む電池テスタであって前記本体がワイヤレス信号送受信手段を有する電池テスタと、
前記請求項１から２６のうちのいずれか一つに記載のワイヤレスハンドルとからなる電池テスタ組み立て体であって、前記ワイヤレスハンドルのワイヤレス信号送受信手段がワイヤレス信号送受信モジュールと無線通信を確立することができ、ワイヤレスハンドルが無線通信により電池テスタと情報交換をすることのできる電池テスタ組み立て体。
【発明の詳細な説明】
【技術分野】
【０００１】
本発明は、電池テストに関し、特に、電池テスタ用のワイヤレスハンドル及びそれを用いた電池テスタ組み立て体に関する。
背景技術 
【０００２】
蓄電池は、工業生産や輸送や通信などの多くの分野においてバックアップ電源として広く使用されている。蓄電池を定期的に保守点検して、蓄電池の故障又は電池残量不足に起因して生じるかもしれない問題を避けることが必要である。図１に示すように、従来の電池テスタ２００は、一般的に、本体２０１と該本体２０１に連結可能な一対のテストリード２０２を有している。そのような電池テスタによって電池又は電池パックのパラメータを測定するときに、操作者はまず本体を操作して適切なテストモードと測定条件を設定する必要がある 。テストモードと測定条件が設定された後で、操作者はスタートキーを押し、その後、テストリードをそれぞれの手に持ちテストリードをそれぞれ試験すべき電池又は電池パックの陽極と陰極に接触させことができる。電池テスタの本体がテストリードからの信号を処理してテスト結果を得ることができ、本体上のディスプレイでその結果を見ることができ、そして／又は本体のメモリにその結果を蓄積することができる。本体は通常比較的に大きなサイズと重量を有しているので、テスト中たいてい固定した場所に置かれている。操作者がテスト中にテストモード又はある種のテスト条件を変更したい場合、本体に戻ってそれを操作する必要があり、又は、誰か他の者に本体を操作してもらう必要があるかもしれないが、それは効率を相当下げることとなるかもしれない。更に、操作者は振り向いて本体のディスプレイに示されたテスト結果をチェックする必要があることもありうるが、それは操作者にとっては全く不便なことである。
【先行技術文献】
【特許文献】
【０００３】
特許文献1 :米国特許第６２２５８０８号
【発明の概要】
【発明が解決しようとする課題】
【０００４】
上記の不都合を解消するために、テスト情報を示すディスプレイと電池テスタのある種の機能を制御するためのボタン（単数又は複数）を備えた改善されたテストリードが作られた。このようなテストリードにおいては、ディスプレイとボタンとテスト端子は電池テスタの本体と情報を交換するための電子回路を共有している。ディスプレイとボタンとテスト端子によって共有された共通回路によって、テストリードは大規模で複雑な回路を有する。そして、ディスプレイ／ボタンと本体の間の有線通信は、テスト回路を流れる電流の周波数に近い周波数の信号によって実現される。ディスプレイ／ボタンと本体の間の有線通信は、測定によって干渉されることがあり、それによって、その精度が損なわれる。
【課題を解決するための手段】
【０００５】
上記課題を解決し、本発明の目的を達成するため、本発明の電池テスタ用のワイヤレスハンドルは、無線通信によって電池テスタと情報交換のできるワイヤレス信号送受信手段と、情報入力手段と、情報出力手段と、信号処理及び制御手段とからなり、ワイヤレス信号送受信手段と情報入力手段と情報出力手段が信号処理及び制御手段に連結されているワイヤレスハンドルである。
【０００６】
本願発明の一側面によると、ワイヤレス信号送受信手段がラジオ周波数信号を送受信する。
【０００７】
本願発明の別の側面によると、ワイヤレス信号送受信手段には、ブルートース（Ｂｌｕｅｔｏｏｔｈ）（登録商標）、ワイファイ（Ｗｉ−Ｆｉ）、ジグビー（ＺＩＧＢＥＥ）、近距離無線通信（Ｎｅａｒ  Ｆｉｅｌｄ  Ｃｏｍｍｕｎｉｃａｔｉｏｎ）の無線通信技術のうちの少なくとも一つが適用される。
【０００８】
本願発明のまた別の側面によると、ラジオ周波数信号は２．４ＧＨｚの周波数を有する。
【０００９】
本願発明の更に別の側面によると、ワイヤレスハンドルは、近位端から先端に向かって徐々に先細になる流線形状を有しているか、又は、実質的に長方形又は円形の断面を有する棒状の形状を有している。
【００１０】
本願発明のまた更なる別の側面によると、ワイヤレスハンドルは、更に、該ワイヤレスハンドルに電池テスタのテストリードを着脱自在に取り付けるための取り付け手段を先端に有する。
【００１１】
また、本願発明の別の側面によると、取り付け手段は側面に開口を有するねじ穴として構成されるか、又は、側面に開口を有するねじフランジとして構成される。
【００１２】
また、本願発明の更に別の側面によると、取り付け手段は電池テスタのテストリードをクランプするためのクリップとして構成される。
【００１３】
本願発明の別の側面によると、ワイヤレスハンドルは、更に、テストリードから延びるワイヤを着脱自在に収納する少なくとも一つのワイヤ収納手段を有する。
【００１４】
本願発明の更に別の側面によると、少なくとも一つのワイヤ収納手段は、ワイヤレスハンドルの周面に沿って延在する溝として構成されるか、又は、ワイヤレスハンドルの外側に配された複数のワイヤクリップとして構成される。
【００１５】
本願発明の別の側面によると、情報出力手段はディスプレイを有する。
【００１６】
本願発明のまた別の側面によると、ディスプレイはワイヤレスハンドルの近位端に配置される。
【００１７】
本願発明の別の側面によると、ディスプレイとワイヤレスハンドルの長手方向の軸の間には角度がある。
【００１８】
本願発明の更に別の側面によると、ディスプレイとワイヤレスハンドルの長手方向の軸の間の角度は、３０度と６０度の間である。
【００１９】
本願発明のまた別の側面によると、ディスプレイはＬＣＤディスプレイ、ＬＥＤディスプレイ、ＯＬＥＤディスプレイ、プラズマディスプレイ又はＥ−ｉｎｋディスプレイである。
【００２０】
本願発明の更に別の側面によると、情報出力手段はスピーカを有する。
【００２１】
本願発明のまた更なる別の側面によると、情報出力手段は少なくとも一つのインジケータを有する。
【００２２】
本願発明の別の側面によると、少なくとも一つのインジケータはワイヤレスハンドルの近位端又はその周辺に配設されている。
【００２３】
本願発明のまた別の側面によると、少なくとも一つのインジケータは被測定電池の少なくとも一つの状態を示すことができる。
【００２４】
本願発明の更に別の側面によると、情報入力手段は少なくとも一つの入力キーを有する。
【００２５】
本願発明のまた更なる別の側面によると、ワイヤレスハンドルの近位端の周囲に、ワイヤレスハンドルの利用者がワイヤレスハンドルを握った状態でその指で少なくとも一つの入力キーを操作できるように、少なくとも一つの入力キーは存在する。
【００２６】
本願発明の別の側面によると、ワイヤレスハンドルは、更に、被測定電池の温度を測定するための非接触温度センサを有する。
【００２７】
本願発明の更に別の側面によると、非接触温度センサはワイヤレスハンドルの先端又はその周辺に配置されている。
【００２８】
本願発明の別の側面によると、ワイヤレスハンドルは、更に、電力供給手段を有する。
【００２９】
本願発明のまた別の側面によると、電力供給手段はワイヤレスハンドルに内蔵された電池である。
【００３０】
本願発明の更に別の側面によると、ワイヤレスハンドルは、更に、ワイヤレスハンドルの先端又はその周辺に配置されたライトを有し、更に、電力供給手段がそのライトに電力を供給する。
【００３１】
本願発明のまた更に別の側面によると、本体と該本体と連結可能な少なくとも一対のテストリードを含む電池テスタであって、その本体がワイヤレス信号送受信手段を有する電池テスタと、電池テスタ本体のワイヤレス信号送受信モジュールと無線通信を確立することのできるワイヤレス信号送受信手段を有するワイヤレスハンドルとからなる電池テスタ組み立て体であって、ワイヤレスハンドルが無線通信により電池テスタと情報交換をすることのできる電池テスタ組み立て体を提供する。
【発明の効果】
【００３２】
本願発明によれば、ワイヤレスハンドルは無線通信により電池テスタと情報交換をすることができ、独立した電力供給手段を有する。情報入力手段と情報出力手段は別々の電力供給手段によって電力供給され、無線通信により電池テスタの本体と情報交換をする。したがって、それらは、テストリードのテスト端末と共通の電子回路を共有するものではなく、そのことはテストリードのサイズを減少させ、それに応じてその内部構造を単純にする。更に、ワイヤレスハンドルは無線通信により電池テスタの本体と情報交換をするが、テスト回路を流れる電流の周波数とは全く異なる周波数を有する信号を用いている。このように、この無線通信は測定の精度に対して何ら影響を及ぼすものではない。
【図面の簡単な説明】
【００３３】
本願発明の前記の特徴及び他の特徴は、添付の図面に関連して、以下の説明や特許請求の範囲の記載からより完全に正しく評価されることとなる。ここに一般的に説明され図面に図示された本願の開示事項の諸相が様々な別々の構成に配置及び設計されうることが容易に理解される。よって、以下のより詳細な説明は、図に表されたように、特許請求の範囲に記載された発明の範囲を制限することを意図するものではなく、単に本願発明の現状での好適な実施の形態を例示したものにすぎない。図中、図示された構成要素は、特に断りのない限り、実際の寸法に必ずしも合致するものではなく、同様の記号は主に同じ構成要素を表している。
【００３４】
【図１】図１は、従来技術に関連する電池テスタを例示した略図である。
【図２】図２は、本願発明のワイヤレスハンドルの機能図である。
【図３】図３は、本願発明の第１の実施の形態のワイヤレスハンドルの構造を例示した正面図である。
【図４】図４は、図３のワイヤレスハンドルの平面図である。
【図５】図５は、図３のワイヤレスハンドルの右側面図である。
【図６】図６は、本願発明の第２の実施の形態のワイヤレスハンドルの構造を例示した正面図である。
【図７】図７は、図６のワイヤレスハンドルの右側面図である。
【図８】図８は、本願発明の第３の実施の形態のワイヤレスハンドルの構造を例示した正面図である。
【図９】図９は、テストリードと接続された状態の本願発明の第４の実施の形態のワイヤレスハンドルの斜視図である。
【図１０】図１０は、図９のワイヤレスハンドルの平面図である。
【図１１】図１１は、本願発明のワイヤレスハンドルとテストリードの分解斜視図である。
【図１２】図１２は、本願発明の電池テスタ組み立て体の機能図である。
【発明を実施するための形態】
【００３５】
以下の詳細な説明において、添付の図面に言及しているが、それは詳細な説明の一部を構成する。詳細な説明と図面と特許請求の範囲に記載された例示は、制限的に解されるべきではない。ここに提供された本願発明の主題の精神又はその範囲を逸脱するものでない限り、他の例も利用可能であり、他の変更もなされうる。ここに記載され、そして、図面に図示されたような、本願発明の各側面が様々な別々の構成に配置換えされ、置き換され、結合され、分離され、及び設計されうることは容易に理解されるが、そのすべてがここに暗に考慮されている。
【００３６】
明確な説明をするために、いくつかの特別な用語が特定の実施の形態を説明するためにここに適用される。しかしながら、これらの用語は限定的に解されるべきではない。むしろそれに代わって、それらの用語は、広く解釈されるべきであり、同じ意味を適用することによって同じ目的に達するいずれか及びすべての均等なものをカバーしている。
【００３７】
本願において、用語「連結」はできるだけ広く解されるべきであり、直接的な接続と間接的な接続の双方をカバーし、連結のための手段は有線であっても、無線であっても良い。用語「ワイヤレスハンドルの近位端」は、通常の操作状況において操作者に最も近いワイヤレスハンドルの一端をいう。そして、用語「ワイヤレスハンドルの先端」は、通常の操作状況において操作者に対して最も遠くにあるワイヤレスハンドルの一端をいう。
【００３８】
図２に示すように、本願発明のワイヤレスハンドル１は、ワイヤレス信号送受信手段１１と、情報入力手段１２と、信号処理及び制御手段１４と情報出力手段１３と電力供給手段（図示せず）とからなっている。ワイヤレス信号送受信手段１１は、無線通信によりワイヤレス信号送受信モジュール２２１を有する電池テスタ２と情報交換をする。ワイヤレス信号送受信手段１１は、ラジオ周波数（ＲＦ）信号及び無線通信を達成することができる他の信号のようなワイヤレス信号を使用することが可能である。ＲＦ信号を用いる場合、ブルートース（Ｂｌｕｅｔｏｏｔｈ）（登録商標）、ワイヤレスフィデリティ（Ｗｉ−Ｆｉ）、ジグビー（ＺＩＧＢＥＥ）、近距離無線通信（Ｎｅａｒ  Ｆｉｅｌｄ  Ｃｏｍｍｕｎｉｃａｔｉｏｎ）その他の送信電力をほとんど使わず近距離送信に適用可能な無線ＲＦ通信技術が適用され、ワイヤレス信号送受信手段１１の電力消費を抑えると共に公共の無線通信ネットワーク（たとえば、ワイヤレスデータ通信ネットワーク、ＧＳＭネットワーク）（登録商標）がワイヤレスハンドル１と電池テスタ２の間の無線通信に干渉することを阻止する。本願発明の実施の形態においては、２．４ＧＨｚのジグビー（ＺＩＧＢＥＥ）が無線通信プロトコルとして適用されている。
【００３９】
情報入力手段１２は、操作コマンドやパラメータ等を含む情報を入力するために用いられる。情報入力手段１２を経由して入力された情報は、信号処理及び制御手段１４によって処理される。その処理された情報はワイヤレス信号送受信手段１１により電池テスタ２の本体２２に更に送信されて保管されるか、又は、本体２２によって更に分析処理されて本体２２の操作モジュール（たとえば、データ保存モジュール）を制御する。
【００４０】
情報出力手段１３は、情報を出力するために用いられる。情報出力手段１３によって出力された情報は、電池テスタ２の本体２２から、若しくは、ワイヤレスハンドル１のどちらにも由来することがある。そのような情報には、たとえば、被測定電池のＩＤコード、抵抗、電圧、放電電流、温度、状態、並びに、コマンド、テスタの状態その他が含まれる。
【００４１】
信号処理及び制御手段１４は、それぞれワイヤレス信号送受信手段１１と情報入力手段１２と情報出力手段１３に連結されていて、これらのユニットからの信号を処理するか、及び／又は、これらのユニットを制御する。
【００４２】
電力供給手段は、ワイヤレス信号送受信手段１１と情報入力手段１２と情報出力手段１３と信号処理及び制御手段１４とワイヤレスハンドルの他の電気部品に電力を提供する。電力供給手段は、ワイヤレスハンドル１内の電池（単数又は複数）（図３の電池１５参照）として構成しても良いし、電源に連結可能な電力供給インタフェースとして構成しても良い。たとえば、電池は、あらゆる種類の充電可能な電池、乾電池その他でよい。
【００４３】
図３から図５は、本願発明の第１の実施の形態のワイヤレスハンドル１の構成を示している。図３に示すように、ワイヤレスハンドル１は、操作者の片方の手での保持操作を容易にするために実質的に長方形の断面を有する細長い棒状に形成されている。ディスプレイ１３１（情報出力手段の一例）と入力ボタン１２３（情報入力手段の一例）がワイヤレスハンドル１の外面に上向きに配置されている。
【００４４】
ディスプレイ１３１は、ワイヤレスハンドル１の近位端近くに配置され、ワイヤレスハンドル１に適切に取り付けられるような構成を有している。ディスプレイ１３１は、液晶ディスプレイ（ＬＣＤディスプレイ）、ＬＥＤディスプレイ、ＯＬＥＤディスプレイ、プラズマディスプレイ又はＥ−ｉｎｋディスプレイから構成される群のうちから選択されうる。
【００４５】
入力ボタン１２３は、ワイヤレスハンドル１の先端近くに配置されている。たとえば、入力ボタン１２３は、スタートボタンや保存ボタンを有することもできる。この実施の形態では、入力ボタン１２３は、ワイヤハンドル１の外面から突出した押しボタンとして構成されている。しかしながら、このボタンが、たとえば、摺動ボタン、回動ボタン、フィルムボタン、タッチディスプレイ及び他の現実又は仮想入力手段のような、様々な構成を有することができることは明らかである。
【００４６】
ワイヤレスハンドル１の先端には、更に、テストリードを取り付けるための取り付け手段１６が提供されている。図５に示すように、取り付け手段１６は、基部１６１と該基部１６１の両側から延びる２つのクリップアーム１６２からなるＣ形状の弾性クリップとして構成されている。基部１６１は、ワイヤレスハンドル１の一体部品として形成されてもよいし、又は、溶接、接着、ねじ止め、及び他の適切な機械的接続手段によりワイヤレスハンドル１の先端に固定されても良い。テストリードがクリップアーム１６２の間に取り付けられた場合、クリップアーム１６２は、弾性変形によって生じる力でテストリードを掴むことができ、それによって、ワイヤレスリード１の先端近くにテストリードを保持することができる。取り付け手段１６は、また、別に、クランプ、ねじ止めその他の手段によってテストリードを保持するように構成することも可能である。電池１５（電力供給手段）とワイヤレス信号を送受信するためのワイヤレス信号送受信手段１１は、ワイヤレスハンドル１の内部に設けられている。
【００４７】
電池のパラメータを得るために、操作者は、電池テスタに接続された（図示しない）テストリードをワイヤレスハンドル１の先端の取り付け手段１６に取り付けることができる。測定準備時、操作者はワイヤレスハンドル１を手に持ってスタートボタン１２３を押しワイヤレスハンドル１を作動する。ワイヤレス信号送受信手段１１と電池テスタ２の間の無線通信は、その後確立される。ワイヤレスハンドル１によって入力又は測定された情報は処理すべく電池テスタ２に送られる。そして、電池テスタ２は、電池の内部抵抗や電圧のような電池から測定された情報をワイヤレス信号送受信手段１１に送信する。信号処理及び制御手段１４によって処理された後で、電池テスタ２からの情報がディスプレイ１３１上に表示される。操作者がディスプレイ１３１上に表示された情報に基づいてテスト完了を確認した場合、操作者は保存ボタン１２３を押すことができる。入力されたコマンドは、まず、信号処理及び制御手段１４によって処理され、そして、ワイヤレス信号送受信手段１１により電池テスタ本体に送信され電池テスタ本体に指示して測定された情報を保存する。次いで、操作者はすべての電池が測定されるまで処理を繰り返すことが可能である。測定の最後において、操作者はスタートボタンをもう一度押してワイヤレスハンドル１を切り替えてオフにしワイヤレスハンドル１と電池テスタ２の間の無線通信を終了する。明らかに、保存ボタンを省略して、たった一つのスタートボタンのみをワイヤレスハンドル１に設けるようにすることも可能である。
【００４８】
図６と図７は、本願発明の第２の実施の形態のワイヤレスハンドル１ａの略式の構成を示している。特に他に示すことがない限り、ワイヤレスハンドル１ａは第１の実施の形態と同じ部品を有している。
【００４９】
図６と図７に示すように、ワイヤレスハンドル１ａも、棒状に形成されているが、実質的に円形の断面を有している。ディスプレイ１３１は、ワイヤレスハンドル１ａの軸方向に対して角度を形成して、近位端（図６においては左側に示されている）の近くで、ワイヤレスハンドル１ａの外面に備えられている。このような構成を有した状態で、操作者は測定のためにワイヤレスハンドル１ａを保持した状態でディスプレイ１３１上に表示された情報を容易に判読できる。ディスプレイ１３１とワイヤレスハンドル１ａの軸方向との間の角度は３０度から６０度の間で変更可能である。本願発明のある実施の形態では、ディスプレイ１３１とワイヤレスハンドル１ａの軸方向との間の角度は約４５度である。また、別の実施の形態では、ディスプレイ１３１とワイヤレスハンドル１ａの軸方向との間の角度は６０度である。
【００５０】
図６に示すように、ワイヤレスハンドル１ａの軸方向に、３つのインジケータ１３２がワイヤレスハンドル１ａの外面の中央に設けられている。この３つのインジケータ１３２は、たとえば、赤黄緑のような異なる色彩を表示することができる。測定された電池の内部抵抗が予め決められている故障値を超えていると電池テスタの本体が決定すると、信号をワイヤレスハンドル１ａに送り、赤のインジケータを点灯させる。特に、その信号は、まず、信号処理及び制御手段１４によって処理され、そして、赤のインジケータ１３２を点灯するために用いられ、「故障」状態を示すと共に操作者に電池を交換するように勧める。電池の内部抵抗が予め決められている警告値と上記故障値の間にある場合、電池テスタは信号をワイヤレスハンドル１ａに送り、黄色のインジケータ１３２を点灯させて、「警告」状態を示すと共に操作者に電池をより頻繁に点検するように勧める。そして、電池の内部抵抗が警告値以下の場合、電池テスタは信号をワイヤレスハンドル１ａに送り、緑色のインジケータ１３２を点灯させて、電池が正常に作動していることを意味する「正常」状態を示す。ワイヤレスハンドル１ａによる電池状態についての情報の出力は、別のインジケータ１３２を点灯することによって実現される。単独のインジケータ１３２を用いて、「故障」状態のような電池状態を示すことが可能なことは明らかである。勿論、異なる実施要件を満足するために、他のパラメータに基づいて、電池状態を決定することは可能であるし、又は、異なるインジケータ１３２を点灯して他の情報（たとえば、電池の温度が高すぎたり又は低すぎたりしていないかについての情報）を示すこともできる。
【００５１】
電池の温度を検出するための非接触温度センサ１８２が、ワイヤレスハンドル１ａの先端、特に、ワイヤレスハンドル１ａの先端面に設けられている。検知温度を示す信号は信号処理及び制御手段１４によって処理され、そして、ディスプレイ１３１に直接表示される。同時に、ワイヤレス信号送受信手段１１は、温度データを電池テスタに送り、保存や更なる処理をする。ワイヤレスハンドル１ａは、また、温度センサ１８２を制御するために入力ボタン１２３を設けることができる。
【００５２】
更に、テストリードから延びたワイヤを着脱可能に収納するために、ワイヤ収納手段をワイヤレスハンドル１ａの外側に備えても良い。ある実施の形態において、ワイヤ収納手段はワイヤレスハンドル１ａの外面に沿って延在する溝として構成される。溝１７１はワイヤレスハンドル１ａの側面によって配置され、ワイヤレスハンドル１ａの両端にまで延びている。溝１７１は、その溝１７１に挿入されたワイヤがしっかりと嵌め込まれるようなサイズを有し、溝１７１内にワイヤを着脱可能に収納する。
【００５３】
図８は、本願発明の第３の実施の形態のワイヤレスハンドル１ｂの構造を例示している。図８に示すように、インジケータ１３２がワイヤレスハンドル１ｂの外面近位端近くに設けられている。図８には２つのインジケータ１３２があり、これらのインジケータ１３２は同色又は異なる色を示すことができる。一つずつのインジケータ若しくは一度に２つのインジケータを点灯することで異なる情報を示すことが可能である。たとえば、一つのインジケータ１３２を点灯するのは、「故障」状態を示し、他のインジケータ１３２を点灯するのは「正常」状態を示し、両インジケータ１３２を点灯するのは「警告」状態を示す。実際には、「正常」や「故障」のような電池の状態は、また、一又はそれ以上のインジケータの色又は点滅時間によって示すこともできる。勿論、インジケータの数を増やすこと（たとえば、３つ、４つ以上のインジケータ）、及び／又は点灯中のインジケータの色や組み合わせを変更することでより多くの情報を出力することができる。
【００５４】
ワイヤレスハンドル１ｂの先端、より特別には、先端面にはライト１８１が設けられている。ライト１８１は電池１５から電力供給されており、測定すべき電池の周囲の暗い領域を照らして操作者による測定を容易にする。
【００５５】
ワイヤレスハンドル１ｂの内部には、情報出力手段１３の一例として、スピーカ１３３も設けられている。スピーカ１３３は、音又は音声によって情報を出力することができる。たとえば、スピーカ１３３は測定されたパラメータ及び／又は被測定電池の位置を報告したり、測定中の電池の潜在的な故障を警告したりすることができる。
【００５６】
更に、図８に示すように、ワイヤ収納手段は、ワイヤレスハンドル１ｂの外側に配設され互いに離間された複数のワイヤクリップ１７２からなる。テストリード２１から延びるワイヤ２０はクリップ１７２に収容され、その結果、ワイヤ２０はワイヤレスハンドル１ｂの表面に沿って延びることとなり、測定にとって邪魔とはならない。用語「ワイヤレスハンドルの外側」は、ワイヤレスハンドルの外面上若しくはその近傍に配置されることを意味する。たとえば、ワイヤレスハンドルの外面上に配置されることを意味する。一つの例としての実施の形態において、ワイヤハンドル１ｂの先端近くのワイヤクリップ１７２と取り付け手段１６はワイヤレスハンドル１ｂの長手方向の軸に対して同じ側に配置されている。４つのワイヤクリップ１７２が図８に図示されているが、ワイヤクリップの数を（たとえば、２つ、３つ、４つ、５つなどに）変更して、ワイヤ２０をワイヤレスハンドルの外面に固定することはいわゆる当業者にとって自明のことである。更に、ワイヤクリップの位置は調整可能であり、直線状、斜線状、螺旋状などに配設されうる。
【００５７】
図９から図１１は、テストリード２１ａを取り付けた本願発明の第４の実施の形態のワイヤレスハンドル１ｃの構成を示している。図９と図１０に示すように、ワイヤレスハンドル１ｃは、近位端から先端に向かって徐々に先細になる流線形状を有している。バリア領域１７がワイヤレスハンドル１ｃの中央部と先端の間の遷移領域に設けられており、操作者の手が先端に達することを阻止すると共に操作者に把持位置を知らせるのに役立つ。図９から図１１に図示された構造は、操作者が自らの習慣に従ってワイヤレスハンドルを保持する方法を選択することを可能にする。言い換えれば、操作者はワイヤレスハンドル１ｃの中央部（棒状のグリップ）を自らに手のひらで保持するか、若しくは、バリア領域１７の近くでワイヤレスハンドル１ｃの先細部分（ペンホルダーグリップ）を自らの指で保持することができる。
【００５８】
入力ボタン１２３は、それぞれワイヤレスハンドル１ｃの近位端面とその先端近くの外面に設けられている。このような配置により、操作者はワイヤレスハンドル１ｃを棒状グリップで保持した状態で自らの指で入力ボタン１２３を操作できる。
【００５９】
ディスプレイ１３１は、該ディスプレイ１３１の周囲に設けられたインジケータ（図示せず）と共にワイヤレスハンドル１ｃの近位端に設けられていて、操作者はディスプレイ１３１とインジケータを容易に見ることができる。ライト１８１と温度センサ１８２がバリア１７１の先端側に設けられている。
【００６０】
図１１に示すように、テストリード２１ａはワイヤレスハンドル１ｃに螺着される。特に、取り付け手段１６は、側方に開口を有するねじ穴１６ａとして構成され、ワイヤ２０を側方開口に沿って延ばした状態で収納する共にワイヤ２０を側方開口と整列させるための溝１７１を有する。取り付け手段１６と係合するテストリード２１ａの端部は、雄ねじ部を有するフランジ状に構成されている。テストリード２１ａを取り付け手段１６に取り付けるためには、テストリード２１ａから延びるワイヤ２０は、フランジ１８の側方開口を通じてテストリード２１ａの側壁から外側に引っ張られる必要がある。次いで、フランジ１８のねじ部がねじ穴１６ａと係合されて、フランジ１８の側方開口がねじ穴１６ａの側方開口とほぼ一直線状になる。最後に、ワイヤ２０が溝１７１に押入されてテストリード２１ａの取り付けとワイヤ２０の収納を完了する。また、ワイヤレスハンドル１ｃには、弾性材料製のワイヤ溝カバーを設けて、ワイヤ２０が溝１７１に収納された後で溝１７１をカバーするようにしても良い。前記フランジ１８とねじ穴１６ａは逆に設けても良い。たとえば、取り付け手段１６が側方開口と雄ねじを有するフランジ状に構成され、取り付け手段１６と係合するテストリード２１ａの端部が側方開口を有するねじ穴として構成される。
【００６１】
図１２は、本願発明の電池テスタ組み立て体の機能図である。図１２に示すように、電池テスタ組み立て体は、電池テスタ２とワイヤレスハンドルからなる。ワイヤレスハンドルは、たとえば、上記のワイヤレスハンドル１，１ａ、１ｂ、又は、１ｃである。電池テスタ２は、本体２２と少なくとも一対のテストリード（たとえば、上記のテストリード２１又は２１ａ）からなる。少なくとも一対のテストリードは電池パラメータを測定すべく電池の電極に接続される。ワイヤレスハンドルのワイヤレス信号送受信手段１１は、本体２２内部のワイヤレス信号送受信モジュール２２１との無線通信を確立して、その無線通信を通じて本体２２と情報交換をする。テストリードは、ワイヤレスハンドルに着脱可能に連結され、操作者にテストリードを制御して電池の電極に接触されて関連するパラメータを測定することを可能にする。
【００６２】
ここに本発明の各側面や各種の事例が説明されてきたが、他の側面や事例もいわゆる当業者にとっては明らかである。ここに開示された本発明の各側面や各種の事例は例示目的でのみ開示されたものであり、以下の特許請求の範囲に記載の発明の範囲や精神を制限することを意図するものではない。
【符号の説明】
【００６３】
１、１ａ、１ｂ、１ｃ・・・ワイヤレスハンドル、２・・・電池テスタ、１１・・・ワイヤレス信号送受信手段、１２・・・情報入力手段、１３・・・情報出力手段、１４・・・情報処理及び制御手段、１５・・・電池、１６・・・取り付け手段、１７・・・バリア領域、１８・・・フランジ、２０・・・ワイヤ、２１、２１ａ・・・テストリード、２２・・・電池テスタ本体、１２３・・・入力ボタン、１３１・・・ディスプレイ、１３２・・・インジケータ、１７１・・・溝、１８１・・・ライト、１８２・・・非接触温度センサ、２２１・・・ワイヤレス信号送受信モジュール
【図１】
2014055943.tif 000003
【図２】
2014055943.tif 000004
【図３】
2014055943.tif 000005
【図４】
2014055943.tif 000006
【図５】
2014055943.tif 000007
【図６】
2014055943.tif 000008
【図７】
2014055943.tif 000009
【図８】
2014055943.tif 000010
【図９】
2014055943.tif 000011
【図１０】
2014055943.tif 000012
【図１１】
2014055943.tif 000013
【図１２】
2014055943.tif 000014